(57)【要約】【課題】  情報提供元によりバーコードを介して提供される識別番号に基づいて、通信端末が情報提供元のサーバから簡便に情報提供を受けることができる情報提供システムおよび情報提供方法を提供すること。【解決手段】  本発明にかかる情報提供システム１０は、通信端末２０およびサーバ３０から構成される。通信端末のカメラ２１が、ビル４０に貼り付けられ識別番号が記録されたバーコード４１を撮像し、解析部２２がバーコード４１の画像データを解析して識別番号を取得した後、識別番号をサーバ３０へ送信する。サーバ３０は、通信端末３０から受信した識別番号に対応する所定情報を記憶部３２から取り出して、送信元の通信端末２０に送信する。通信端末２０は、カメラ２１が撮像したバーコード４１に記録された識別番号に対応する所定情報をサーバ３０から受信する。【選択図】          図１
2005327184.tif 000002
【特許請求の範囲】
【請求項１】
識別番号が記録されたバーコードを撮像可能なカメラ、
このカメラで撮像するバーコードの画像データを解析して上記識別番号を取得する解析部、
およびこの解析部が取得する上記識別番号をサーバに送信する送信部を有する通信端末と、
所定情報を識別番号別に記憶する記憶部、
上記通信端末から送信される上記識別番号を受信する受信部、
および上記受信部が受信する識別番号に対応する所定情報を上記記憶部から取り出して、送信元の上記通信端末に送信する送信部を有するサーバとを備え、
上記通信端末は、カメラが、上記識別番号が記録されたバーコードを撮像したとき、上記サーバから上記カメラが撮像した上記バーコードに記録された上記識別番号に対応する所定情報を受信することを特徴とする情報提供システム。
【請求項２】
識別番号が記録されたバーコードを撮像可能なカメラ、
およびこのカメラが撮像する上記バーコードの画像データをサーバに送信する送信部を有する通信端末と、
所定情報を識別番号別に記憶する記憶部、
上記通信端末から送信される上記バーコードの画像データを受信する受信部、
この受信部で受信する上記バーコードの画像データを解析して上記バーコードに記録された識別番号を取得する解析部、
この解析部が取得する識別番号に対応する所定情報を上記記憶部から取り出して、送信元の上記通信端末に送信する送信部を有するサーバとを備え、
上記通信端末は、カメラが、上記識別番号が記録されたバーコードを撮像したとき、上記サーバから上記カメラが撮像した上記バーコードに記録された上記識別番号に対応する所定情報を受信することを特徴とする情報提供システム。
【請求項３】
識別番号はインターネット接続で使用されるドメイン名であり、
通信端末はインターネット接続手段を備えていることを特徴とする請求項１または２に記載の情報提供システム。
【請求項４】
記憶部は所定情報に替えて広告情報を識別番号別に記憶することを特徴とする請求項１または２に記載の情報システム。
【請求項５】
通信端末は情報を表示する表示部を備え、
この表示部は、サーバから受信する識別番号に対応する所定情報を表示することを特徴とする請求項１または２に記載の情報提供システム。
【請求項６】
識別番号が記録されたバーコードは二次元バーコードであることを特徴とする請求項１または２に記載の情報提供システム。
【請求項７】
通信端末のカメラが、識別番号が記録されたバーコードを撮像するステップ、
上記カメラが撮像する上記バーコードの画像データを解析して上記識別番号を取得するステップ、
上記通信端末が、上記バーコードの画像データから取得する上記識別番号をサーバに送信するステップ、
上記サーバが、上記通信端末が送信する上記識別番号を受信するステップ、
上記サーバが、上記通信端末から送信される識別番号に対応する所定情報を記憶部から取り出して、送信元の上記通信端末に送信するステップ、
上記通信端末が、上記サーバが送信する上記識別番号に対応する所定情報を受信するステップを備えたことを特徴とする情報提供方法。
【請求項８】
通信端末のカメラが、識別番号が記録されたバーコードを撮像するステップ、
上記通信端末が、上記カメラが撮像する上記バーコードの画像データをサーバに送信するステップ、
上記サーバが、上記通信端末が送信する上記バーコードの画像データを受信するステップ、
上記サーバが、受信する上記バーコードの画像データを解析して上記識別番号を取得するステップ、
上記サーバが、上記バーコードの画像データから取得する識別番号に対応する所定情報を記憶部から取り出して、送信元の上記通信端末に送信するステップ、
上記通信端末が、上記サーバが送信する上記識別番号に対応する所定情報を受信するステップを備えたことを特徴とする情報提供方法。
【請求項９】
識別番号はインターネット接続で使用されるドメイン名であることを特徴とする請求項７または８に記載の情報提供方法。
【請求項１０】
通信端末が、サーバから受信する識別番号に対応する所定情報を画面表示するステップを備えたことを特徴とする請求項７または８に記載の情報提供方法。
【請求項１１】
識別番号が記録されたバーコードは二次元バーコードであることを特徴とする請求項７または８に記載の情報提供方法。
【発明の詳細な説明】
【技術分野】
【０００１】
この発明は、広告主により街頭等に設置されるバーコードを介して提供される識別番号に基づいて、情報提供元のサーバが通信端末に対し、広告等の情報を提供する情報提供システム及び情報提供方法に関する。
【背景技術】
【０００２】
使用者が携帯情報端末を用いて、町中の電信柱や建物等に取り付けられた看板広告に対応する識別コードを入力してコンテンツデータベースに接続し、コンテンツデータベースは情報携帯端末から送信される識別コードに対応する広告主の店舗位置および現在位置を含めた周辺地図の画像データを、インターネットを介して、携帯情報端末の使用者に提供する情報提供システムが記載されている（例えば、特許文献１参照）。
【０００３】
【特許文献１】特開２００２−３２８９２７号公報（［００１５］〜［００１９］、図１）
【０００４】
携帯端末のバーコードリーダーで、サービスエリア内の柱や建物の壁に貼り付けられ、エリア番号が記録されたバーコードを解析し、エリア番号から現在地を検出し、検出した現在地および目的地を、当該携帯端末内に予め設けられた地図データまたはサーバから提供される地図データにはめ込んで、当該携帯端末の表示部に表示するナビゲーションシステムが記載されている（例えば、特許文献２参照）。
【０００５】
【特許文献２】特開２００３−１５６３６０号公報（［００１８］〜［００２６］、図３から図６）
【発明の開示】
【発明が解決しようとする課題】
【０００６】
特許文献１記載の技術では、情報提供を受けるために、使用者が看板広告に対応する識別コードを必ず手入力しなければならず、操作に煩わしい手間がかかった。
特許文献２記載の技術では、特許文献１に記載の技術のように識別コードを手入力する必要はないが、バーコード読み取り時にバーコードリーダーをバーコードに対して接するように取り扱わないと、バーコードの情報を読み取る事ができず、操作性を欠いていた。
また、例えば衛星からＧＰＳ信号を受信して受信位置を検出するＧＰＳ測位装置が搭載された携帯端末であれば、携帯端末の現在位置を簡単に取得することができるが、位置情報の取得に留まり、現在地にて広告主が提供する広告等の情報を取得するには、使用者がビルＩＤ番号、ドメイン名、ＵＲＬ等をわざわざ調べなければならかった。
この発明は、このような問題点を解決するためになされたものであり、情報提供元によりバーコードを介して提供される識別番号に基づいて、通信端末が情報提供元のサーバから簡便に情報提供を受けることができる情報提供システムおよび情報提供方法を提供することを目的とする。
【課題を解決するための手段】
【０００７】
本発明に係る情報提供システムは、識別番号が記録されたバーコードを撮像可能なカメラ、このカメラで撮像するバーコードの画像データを解析して上記識別番号を取得する解析部、およびこの解析部が取得する上記識別番号をサーバに送信する送信部を有する通信端末と、所定情報を識別番号別に記憶する記憶部、上記通信端末から送信される上記識別番号を受信する受信部、および上記受信部が受信する識別番号に対応する所定情報を上記記憶部から取り出して、送信元の上記通信端末に送信する送信部を有するサーバとを備え、上記通信端末は、カメラが、上記識別番号が記録されたバーコードを撮像したとき、上記サーバから上記カメラが撮像した上記バーコードに記録された上記識別番号に対応する所定情報を受信することを特徴とするものである。このような構成により、通信端末がサーバから簡便に情報提供を受けることができる。
【０００８】
また、本発明に係る他の情報提供システムは、識別番号が記録されたバーコードを撮像可能なカメラ、およびこのカメラが撮像する上記バーコードの画像データをサーバに送信する送信部を有する通信端末と、所定情報を識別番号別に記憶する記憶部、上記通信端末から送信される上記バーコードの画像データを受信する受信部、この受信部で受信する上記バーコードの画像データを解析して上記バーコードに記録された識別番号を取得する解析部、この解析部が取得する識別番号に対応する所定情報を上記記憶部から取り出して、送信元の上記通信端末に送信する送信部を有するサーバとを備え、上記通信端末は、カメラが、上記識別番号が記録されたバーコードを撮像したとき、上記サーバから上記カメラが撮像した上記バーコードに記録された上記識別番号に対応する所定情報を受信することを特徴とするものである。このような構成により、通信端末がサーバから簡便に情報提供を受けることができる。
【０００９】
また、上述の識別番号をインターネット接続で使用されるドメイン名とし、通信端末はインターネット接続手段を備えるようにしてもよい。これにより、より簡便に通信端末がサーバから情報提供を受けることができる。
【００１０】
また、記憶部は所定情報に替えて広告情報を識別番号別に記憶するようにしてもよい。これにより、通信端末はサーバが提供する広告情報の提供を簡便に受けることができる
【００１１】
また、通信端末は情報を表示する表示部を更に備え、この表示部は、サーバから受信する識別番号に対応する所定情報を表示するようにしてもよい。これにより、通信端末の表示部の画面に情報を提供することができる。
【００１２】
また、識別番号が記録されたバーコードは二次元バーコードとしてもよい。これにより、より大容量の識別番号情報を提供することができる。
【００１３】
また、この発明に係る情報提供方法は、通信端末のカメラが、識別番号が記録されたバーコードを撮像するステップ、上記カメラが撮像する上記バーコードの画像データを解析して上記識別番号を取得するステップ、上記通信端末が、上記バーコードの画像データから取得する上記識別番号をサーバに送信するステップ、上記サーバが、上記通信端末が送信する上記識別番号を受信するステップ、上記サーバが、上記通信端末から送信される識別番号に対応する所定情報を記憶部から取り出して、送信元の上記通信端末に送信するステップ、上記通信端末が、上記サーバが送信する上記識別番号に対応する所定情報を受信するステップを備えたことを特徴とするものである。このような方法により、通信端末がサーバから簡便に情報提供を受けることができる。
【００１４】
また、本発明に係る他の情報提供方法は、この通信端末のカメラが、識別番号が記録されたバーコードを撮像するステップ、上記通信端末が、上記カメラが撮像する上記バーコードの画像データをサーバに送信するステップ、上記サーバが、上記通信端末が送信する上記バーコードの画像データを受信するステップ、上記サーバが、受信する上記バーコードの画像データを解析して上記識別番号を取得するステップ、上記サーバが、上記バーコードの画像データから取得する識別番号に対応する所定情報を記憶部から取り出して、送信元の上記通信端末に送信するステップ、上記通信端末が、上記サーバが送信する上記識別番号に対応する所定情報を受信するステップを備えたことを特徴とするものである。このような方法により、通信端末がサーバから簡便に情報提供を受けることができる。
【００１５】
また、識別番号はインターネット接続で使用されるドメイン名であってもよい。これにより、より簡便に通信端末がサーバから情報提供を受けることができる。
【００１６】
また、通信端末が、サーバから受信する識別番号に対応する所定情報を画面表示するステップを更に備えてもよい。これにより、通信端末の表示部の画面に情報を提供できる。
【００１７】
また、識別番号が記録されたバーコードは二次元バーコードとしてもよい。これにより、より大容量の識別番号情報を提供することができる。
【発明の効果】
【００１８】
この発明により、通信端末がサーバから簡便に情報提供を受けることができる情報提供システムおよび情報提供方法を提供することができる。
【発明を実施するための最良の形態】
【００１９】
発明の実施の形態１．
本発明の実施の形態１について、図に基づいて説明する。
【００２０】
図１は、本発明の実施の形態１に係る情報提供システムの構成を示す図である。
【００２１】
図１において、情報提供システム１０は携帯電話機、通信機能付携帯情報端末等の通信端末２０およびサーバ３０から構成される。通信端末２０は携帯電話回線等のネットワーク回線５０に接続でき、サーバ３０はインターネット網６０に接続されており、通信端末２０およびサーバ３０間は、ネットワーク回線５０およびインターネット網６０を介して、無線接続可能に構成されている。情報提供元である広告主のビル４０には予め広告主の識別番号としてのＩＤ番号が記録されたバーコード４１が貼り付けられている。ここで、ＩＤ番号は単なる番号、記号、またはこれらの組合せ以外に、ドメイン名、住所等であってもよい。ドメイン名とは、インターネット網６０において、個々の電子計算機を識別するために割り当てられる番号、記号、または文字の組合せなどの符号またはこれら符号の結合をいう。また、バーコード４１は一次元バーコードまたは二次元バーコードを含むものとする。二次元バーコードとは、縦横に情報を持つことで、従来のバーコードより小さい面積で多くの情報を搭載できるバーコードをいい、数種の幅の白と黒の平行バーで構成される一次元バーコードに対して，これらを複数段積重ねて構成されるものをいう。従って、広告主がより大容量のデータをＩＤ番号としてバーコード４１に記録したいときには、二次元バーコードを使用することが望ましい。なお、二次元バーコードとして、例えばＱＲコードについては、日本工業規格ＪＩＳ  Ｘ  ０５１０に規格設定されている。
【００２２】
通信端末２０は、カメラ２１、解析部２２、制御部２３、送受信部２４、アンテナ２５、および表示部２６から構成される。カメラ２１は少なくともＩＤ番号が記録された一次元または二次元のバーコードを撮像可能なものである。解析部２２はカメラ２１で撮像されるバーコード４１の画像データをバーコード解析用ソフトウエアによって解析してＩＤ番号を取得する。制御部２３は通信端末２０の電気部品のすべてを制御し、送受信部２４はアンテナ２５を介してサーバ３０とデータ通信を行う。具体的には、送受信部２４はＩＤ番号が記録されたバーコード４１をカメラ２１で撮像したとき、解析部２２で解析して取得されるＩＤ番号をサーバ３０へ送信し、逆に後述のサーバ３０の送信部３４から送信されるＩＤ番号に対応する広告等の所定情報を受信する。表示部２６は、サーバ３０から受信するＩＤ番号に対応する広告等の所定情報を画面表示して、使用者へ情報提供する。
【００２３】
サーバ３０は、記憶部３１、ＩＤ取得部３２、制御部３３、送受信部３４から構成され、この送受信部３４はインターネット網６０に接続されている。広告主は記憶部３１に例えば広告、ホームページ情報、販売商品・販売価格情報、所在地情報、関係株価等の広告主に関係する所定情報を予めＩＤ番号別に記憶する。サーバ３０の送受信部３４が通信端末２０からＩＤ番号を受信すると、ＩＤ取得部３２が当該ＩＤ番号を取得し一時的に保持する。制御部３３はサーバ３０のすべての電子部品を制御し、ＩＤ取得部３２が取得したＩＤ番号に基づいて、記憶部３１に記憶されている広告等の所定情報を取り出す。送受信部３４はインターネット網６０、ネットワーク回線５０を介して、制御部３３が取り出した広告等の所定情報を送信元の通信端末２０へ送信する。
【００２４】
次に、本発明の実施の形態に係る情報提供システムの動作説明を図に基づいて説明する。
【００２５】
図２は、本発明の実施の形態１に係る情報提供システムの動作説明するためのシーケンス図である。
【００２６】
図１および図２において、使用者７０は、まず、広告主のビル４０に貼り付けられているバーコード４１を通信端末２０のカメラ２１で撮像する（ＳＴＥＰ（以下ＳＴと称する）１０１）。カメラ２１が撮像したバーコード４１の画像データは、通信端末２０の制御部２４を介して解析部２２へ出力される。次に解析部２２は、バーコード４１の画像データを、バーコード解析用ソフトウエアを用いて解析して、バーコード４１に記録されているＩＤ番号を取得する（ＳＴ１０２）。次に通信端末２０はネットワーク回線５０に接続する。そして、通信端末２０の送受信部２４が、アンテナ２５を用いて、解析部２２で取り出されたＩＤ番号を、ネットワーク回線５０を介して、インターネット網６０に接続されているサーバ３０へ送信する（ＳＴ１０３）。次にサーバ３０の送受信部３４はＩＤ番号を通信端末２０から受信し、ＩＤ取得部３２は制御部３３を介してＩＤ番号を取得し、これを一時的に保持する。なお、制御部３３はＩＤ取得部３２の機能を包含することも可能である。次にサーバ３０の制御部３３は、記憶部３１の中に対応するＩＤ番号があるか検索し、対応するＩＤがあった場合には当該ＩＤ番号に対応する広告等の所定情報を記憶部３１から取り出す（ＳＴ１０４）。次に、サーバ３０の送受信部３４は、制御部３３が記憶部３１から取り出した広告等の所定情報を、インターネット網６０およびネットワーク網５０を介して、送信元の通信端末２０へ送信する（ＳＴ１０５）。なお、記憶部３１の中に対応するＩＤ番号が無かった場合には、サーバ３０の送受信部３４は例えば該当する広告等の情報が無い旨の通知を通信端末２０へする。次に、通信端末２０の送受信部２３は広告等の所定情報をサーバ３０から受信し、通信端末２０の制御部２３は広告等の所定情報を表示部２６に画面表示させる（ＳＴ１０６）。そして、使用者７０は通信端末２０の表示部２６の表示画面に表示された広告等の所定情報の提供を受けることができる（ＳＴ１０７）。
【００２７】
なお、使用者７０は通信時間に応じた通信料を支払い、広告主はサーバ３０へのアクセス回数に応じた広告料金をサーバ３０の管理者へ支払う。
【００２８】
このように、本発明の実施の形態１に係る情報提供システムでは、通信端末２０がサーバ３０から簡便に情報提供を受けることができる。
【００２９】
また、カメラ２１でバーコード４１を撮像して、バーコード４１に記憶されているＩＤ番号を取得するようにしたので、カメラ２１の撮像可能範囲にてバーコード４１を撮像してバーコード４１に記憶されているＩＤ番号を簡便に取得することができる。
【００３０】
また、カメラ２１でバーコード４１を撮像して、バーコード４１に記憶されているＩＤ番号を取得するようにしたので、バーコードリーダーやＧＰＳ測位装置を追加搭載するまでもなく、既存の一般的なカメラ付携帯電話機等の通信端末２０により、バーコード４１に記憶されているＩＤ番号を取得することができる。
【００３１】
また、通信端末２０およびサーバ３０をインターネット接続可能なシステムで構成し、識別番号に関し、ＩＤ番号に替えてインターネット接続で使用されるドメイン名を用いて情報提供システムを構築してもよい。この場合は、通信端末２０およびサーバ３０間を特別なシステム構成とすることなく、より汎用性の高いシステムとすることができる。
【００３２】
また、サーバ３０の記憶部３１の所定情報に、広告主の所在地を含ませてもよい。これにより、通信端末の使用者はＧＰＳ測位装置を通信端末に搭載していなくもサーバから受信する所定情報から現在地を容易に確認できる。
【００３３】
また、ＩＤ番号が記録されたバーコード４１を、二次元バーコードにしてもよい。この場合、ＩＤ番号の情報に例えば漢字表示等を含めた大容量の文字・記号を含ませることができる。
【００３４】
発明の実施の形態２．
本発明の実施の形態２について、図に基づいて説明する。
【００３５】
図３は、本発明の実施の形態２に係る情報提供システムの構成を示す図である。
【００３６】
図３において、情報提供システム１０ａは、通信端末２０ａおよびサーバ３０ａから構成される。ここで、サーバ３０ａに設けられる解析部３６は、本発明の実施の形態１で説明したように通信端末２０側に設定されず、サーバ３０ａ側に設置されている。
【００３７】
次に、本発明の実施の形態に係る情報提供システムの動作説明を図に基づいて説明する。
【００３８】
図４は、本発明の実施の形態２に係る情報提供システムの動作説明するためのシーケンス図である。
【００３９】
バーコード４１の画像データを解析して、バーコード４１に記録されているＩＤ番号を取り出す作業を、図２では通信端末２０に設けられた解析部２２で行っているのに対し、図４ではサーバ３０ａに設けられた解析部３６で行っている点で相違する。即ち、図３および図４において、使用者７０がバーコード４１を撮像し（ＳＴ１０１）、通信端末２０ａの送受信部２４は、アンテナ２５を用いて、ネットワーク回線５０を介して、バーコード４１の画像データを、インターネット網６０に接続されているサーバ３０ａへ送信する（ＳＴ２０２）。次にサーバ３０ａでは、送受信部３４がバーコード４１の画像データを通信端末２０ａから受信し、解析部３６がバーコード４１の画像データを、バーコード解析用ソフトウエアを用いて解析して、ＩＤ取得部３２はバーコード４１に記録されているＩＤ番号を取り出して、これを一時的に保存する（ＳＴ２０３）。次に制御部３３は、ＩＤ取得部３２に一時的に保存されたＩＤ番号に基づいて、記憶部３１の中に対応するＩＤ番号があるか検索し、当該ＩＤ番号に対応する広告等の所定情報を記憶部３１から取り出す（ＳＴ１０４）。次に、サーバ３０ａの送受信部３４は、記憶部３１から取り出した広告等の所定情報を、インターネット網６０およびネットワーク回線５０を介して、送信元の通信端末２０ａへ送信し（ＳＴ１０５）、通信端末２０ａの送受信部２３は広告等の所定情報をサーバ３０ａから受信し、通信端末２０ａの制御部２４は受信した広告等の所定情報を表示部２６に画面表示させ（ＳＴ１０６）、使用者７０は通信端末２０ａの表示部２６の表示画面に表示された広告等の所定情報の提供を受けることができる（ＳＴ１０７）。
【００４０】
このように、本発明の実施の形態２に係る情報提供システムにおいても、通信端末２０がサーバ３０から簡便に情報提供を受けることができる。また、解析部３６をサーバ３０ａ側に設けているので、メモリ等記憶容量の関係により通信端末２０ａに解析部を設けることができない場合に有効である。
【図面の簡単な説明】
【００４１】
【図１】本発明の実施の形態１に係る情報提供システムの構成を示す図である。
【図２】本発明の実施の形態１に係る情報提供システムの動作説明するためのシーケンス図である。
【図３】本発明の実施の形態２に係る情報提供システムの構成を示す図である
【図４】本発明の実施の形態２に係る情報提供システムの動作説明するためのシーケンス図である。
【符号の説明】
【００４２】
１０、１０ａ  情報提供システム、  ２０、２０ａ  通信端末、  ２１  カメラ、  ２２、３６  解析部、  ２３、３３  制御部、  ２４、３４  送受信部、２５  アンテナ、  ３０、３０ａ  サーバ、  ３１  記憶部、  ３２  ＩＤ取得部、４０  ビル、  ４１  バーコード、  ５０  ネットワーク回線、  ６０  インターネット網、  ７０  使用者。
【図１】
2005327184.tif 000003
【図２】
2005327184.tif 000004
【図３】
2005327184.tif 000005
【図４】
2005327184.tif 000006